(57)【要約】  【課題】取り出し又は挿入する光波の波長を容易に変更することができる光モジュール及びこれを用いた光ネットワークシステムを提供する。  【解決手段】ノードユニット６０ａには、フィルタ６２ａ、６２ｂに、それぞれ、光路９１ａ〜９４ａ、光路９１ｂ〜９４ｂが設けられている。光路９１ａ〜９４ａ、光路９１ｂ〜９４ｂには、それぞれ、光ファイバ８１ａ〜８４ａ、８１ｂ〜８４ｂが接続されている。光ファイバ８１ａ、８４ａ、８１ｂ、８４ｂは、光路支持体６４に支持され、光ファイバ８２ａ、８３ａ、８２ｂ、８３ｂは光路支持体６５に支持されている。光路支持体６４の装着部９６ａ、９６ｂの任意の１つには、ファイバ支持体６６により支持された光ファイバ３が装着され、光路支持体６５の装着部９７ａ、９７ｂの任意の１つには、ファイバ支持体６７により支持された光ファイバ８６、８７が装着される。  【選択図】図３
2005316402.tif 000002
【特許請求の範囲】
【請求項１】
光波を透過又は反射する複数のフィルタと、
前記複数のフィルタのそれぞれに対応して設けられ、前記光波を当該フィルタに誘導する複数の第１の光路と、
前記複数のフィルタのそれぞれに対応して設けられ、当該フィルタを透過又は反射する特定の波長を有する前記光波のみを当該フィルタから誘導する複数の第２の光路と、
前記複数のフィルタのそれぞれに対応して設けられ、前記特定の波長を有する前記光波を当該フィルタに誘導する複数の第３の光路と、
前記複数のフィルタのそれぞれに対応して設けられ、当該フィルタを透過及び反射する１又は互いに異なる波長を有する複数の光波を当該フィルタから誘導する複数の第４の光路と、
前記複数の第１〜第４の光路のそれぞれを支持する複数の光路支持部材と、
前記複数の第１の光路のうちの任意の１つに接続される第１の光ファイバと、
前記第１の光ファイバが接続された前記第１の光路に対応する前記フィルタに対応する前記第２の光路に接続された第２の光ファイバと、
前記第１の光ファイバが接続された前記第１の光路に対応する前記フィルタに対応する前記第３の光路に接続された第３の光ファイバと、
前記第１の光ファイバが接続された前記第１の光路に対応する前記フィルタに対応する前記第４の光路に接続された第４の光ファイバと、
前記第１〜第４の光ファイバの端部をそれぞれ支持する複数のファイバ支持部材とを備えており、
前記複数の光路支持部材には、前記ファイバ支持部材を着脱可能な装着部がそれぞれ形成されていることを特徴とする光モジュール。
【請求項２】
前記複数の第１〜第４の光路の少なくとも一部が光導波路で形成されていることを特徴とする請求項１に記載の光モジュール。
【請求項３】
前記複数の第１〜第４の光路が前記光導波路及び前記光導波路に接続された複数の光ファイバで形成されており、前記複数の光路支持部材が前記光ファイバの端部を支持していることを特徴とする請求項１又は２に記載の光モジュール。
【請求項４】
前記複数の光路支持部材及び前記ファイバ支持部材がフェルールで形成されていることを特徴とする請求項１〜３の何れかに記載の光モジュール。
【請求項５】
前記複数のファイバ支持部材及び前記複数の光路支持部材の前記複数の装着部の少なくともいずれか一方が位置決めピンを備えているとともに、他方が前記位置決めピンに対応する位置に位置決めガイドを備えていることを特徴とする請求項１〜４の何れかに記載の光モジュール。
【請求項６】
前記第１〜第４の光ファイバをそれぞれ１つずつ備えていることを特徴とする請求項１〜５の何れかに記載の光モジュール。
【請求項７】
前記第１〜第４の光ファイバをそれぞれ同数ずつ複数備えていることを特徴とする請求項１〜５の何れかに記載の光モジュール。
【請求項８】
前記複数のフィルタのそれぞれに対応する前記複数の第１の光路を支持する前記複数の光路支持部材、及び、前記複数の第４の光路を支持する前記複数の光路支持部材がそれぞれ形成された１又は複数の上層側光路支持体と、
前記複数のフィルタのそれぞれに対応する前記複数の第２の光路を支持する前記複数の光路支持部材、及び、前記複数の第３の光路を支持する前記複数の光路支持部材がそれぞれ形成された１又は複数の下層側光路支持体と、
前記第１の光ファイバを支持する前記ファイバ支持部材、及び、前記第４の光ファイバを支持する前記ファイバ支持部材が形成された上層側ファイバ支持体と、
前記第２の光ファイバを支持する前記ファイバ支持部材、及び、前記第３の光ファイバを支持する前記ファイバ支持部材が形成された複数の下層側ファイバ支持体とを備えていることを特徴とする請求項１〜７の何れかに記載の光モジュール。
【請求項９】
前記複数の上層側光路支持体と前記複数の下層側光路支持体とが、対応する前記複数のフィルタを挟んで対向するように配置されていることを特徴とする請求項８に記載の光モジュール。
【請求項１０】
カスケード状に接続された請求項１〜９の何れかに記載の複数の光モジュールであって、
前記光波の伝送方向に対して、先の前記光モジュールの前記第４の光ファイバと、後の前記光モジュールの前記第１の光ファイバとが接続されていることを特徴とする光モジュール。
【請求項１１】
互いに異なる波長を有する複数の光波を伝送するリング状のネットワーク光ファイバと、
前記ネットワーク光ファイバに接続されているコントローラと
前記ネットワーク光ファイバに接続されているとともに、互いに異なる波長を割り当てられた請求項１に記載の複数の光モジュールとを備えており、
前記コントローラが、前記光モジュールから前記ネットワーク光ファイバを介して受信した光波を電気信号に変換し、前記電気信号に含まれている送信先情報から送信先を特定し、前記電気信号を送信先の前記光モジュール毎に割り当てられた波長を有する光波に変換して前記ネットワーク光ファイバへ出力し、
前記光モジュールにおいては、前記ネットワーク光ファイバが前記ファイバ支持部材に支持されているとともに、割り当てられた波長を有する光波を透過又は反射する前記フィルタに対応する前記光路支持部材の前記装着部に前記ファイバ支持部材が装着されており、前記ネットワーク光ファイバから前記第１の光路に入力された前記複数の光波から当該波長を有する光波を取り出し、当該波長を有する光波を前記第４の光路から前記ネットワーク光ファイバに出力することを特徴とする光ネットワークシステム。
【発明の詳細な説明】
【技術分野】
【０００１】
本発明は、波長分割多重方式を利用したシステムなどにおいて使用される光モジュール及びこれを用いた光ネットワークシステムに関する。
【背景技術】
【０００２】
次世代インターネットのバックボーン回線などへの応用が期待される、広帯域の光伝送技術である、波長分割多重（Wavelength Division Multiplex：ＷＤＭ）技術に関する開発が活発に行われるようになってきている。このＷＤＭでは、１本の光ファイバに異なる波長の光を通してチャネルを多重化することで、大容量のデータを伝送することが可能である。
【０００３】
このようなＷＤＭが用いられる光ネットワークシステムにおいては、１本の光ファイバ中を伝送している互いに異なる波長を有する複数の光波から特定の波長を有する光波のみを取り出す、又は特定の波長を有する光波を光ファイバ中に挿入する光アッドドロップ多重（Optical Add Drop Multiplex：ＯＡＤＭ）光モジュールが用いられる。ＯＡＤＭ光モジュールとしては、光導波路と波長選択フィルタとを組み合わせて互いに異なる波長を有する複数の光波から特定の波長を有する光波のみを取り出す、又は、特定の波長を有する光波を光ファイバ中に挿入する技術が提案されている（特許文献１参照）。この技術によると、例えばビル内において、全フロアを通過するように光ファイバを配置し、さらに各フロアに光ファイバに接続されたＯＡＤＭ光モジュールを配置することにより、各フロアにおいて、光ファイバ中を伝送している互いに異なる波長を有する複数の光波から自己に割り当てられた波長を有する光波のみを取り出す、又は、この波長を有する光波を光ファイバ中に挿入することができる。そして、ＯＡＤＭ光モジュールを各フロアにおいて構築されているＬＡＮ（Local Area Network）に接続し、ＬＡＮ同士のデータ通信を可能とすることで、ビル内を網羅するネットワークを容易に構築することができる。
【０００４】
【特許文献１】特開平１１−１０９１４９号公報
【発明の開示】
【発明が解決しようとする課題】
【０００５】
この場合、ＬＡＮ間のデータ通信は光ファイバを介して行われることになる。従って、他のＬＡＮに属する端末にデータを送信するときは、送信先の端末が属するＬＡＮに接続されているＯＡＤＭ光モジュールに割り当てられた波長を特定し、送信データを、特定した波長を有する光波からなる光信号に変換して光ファイバに出力する。波長の特定は、例えば、端末に割り当てられたネットワークアドレスと、当該端末が属するＬＡＮに接続されているＯＡＤＭ光モジュールに割り当てられた波長との対応関係が記憶されたデータベースに基づいて決定される。しかしながら、ＬＡＮがフロア間を移動したり、ＯＡＤＭ光モジュールに割り当てられた波長が変更されたりしたときには、端末に割り当てられたネットワークアドレスと当該端末が属するＬＡＮに接続されているＯＡＤＭ光モジュールに割り当てられた波長との対応関係がデータベースの内容と異なり、正常なデータ送信を行うことができなくなる。このため、データベースの内容を更新したり、ＯＡＤＭ光モジュールをＬＡＮとともに移動したりする煩雑な作業を行わなければならない。
【０００６】
本発明の主たる目的は、光ファイバ中を伝送している互いに異なる波長を有する複数の光波から取り出す光波の波長及び光ファイバ中に挿入する光波の波長を容易に変更することができる光モジュール及びこれを用いた光ネットワークシステムを提供することである。
【課題を解決するための手段及び発明の効果】
【０００７】
本発明の光モジュールは、光波を透過又は反射する複数のフィルタと、記複数のフィルタのそれぞれに対応して設けられ、光波を当該フィルタに誘導する複数の第１の光路と複数のフィルタのそれぞれに対応して設けられ、当該フィルタを透過又は反射する特定の波長を有する光波のみを当該フィルタから誘導する複数の第２の光路と、複数のフィルタのそれぞれに対応して設けられ、特定の波長を有する光波を当該フィルタに誘導する複数の第３の光路と、複数のフィルタのそれぞれに対応して設けられ、当該フィルタを透過及び反射する１又は互いに異なる波長を有する複数の光波を当該フィルタから誘導する複数の第４の光路と、複数の第１〜第４の光路のそれぞれを支持する複数の光路支持部材とを備えている。さらに、本発明の光モジュールは、複数の第１の光路のうちの任意の１つに接続される第１の光ファイバと、第１の光ファイバが接続された第１の光路に対応するフィルタに対応する第２の光路に接続された第２の光ファイバと、第１の光ファイバが接続された第１の光路に対応するフィルタに対応する第３の光路に接続された第３の光ファイバと、第１の光ファイバが接続された第１の光路に対応するフィルタに対応する第４の光路に接続された第４の光ファイバと、第１〜第４の光ファイバの端部をそれぞれ支持する複数のファイバ支持部材とを備えている。加えて、複数の光路支持部材には、ファイバ支持部材を着脱可能な装着部がそれぞれ形成されている。
【０００８】
本発明によると、ファイバ支持部材が他の装着部に装着された簡単な構造で、第１の光ファイバを伝送してきた互いに異なる波長を有する複数の光波から取り出す光波の波長、及び、第４の光ファイバに挿入する光波の波長を変更することができる。これにより、ネットワークの構成が変更された場合でも、光モジュールに割り当てられた波長を変更して容易に対応することができる。
【０００９】
また、本発明の光モジュールにおいては、複数の第１〜第４の光路の少なくとも一部が光導波路で形成されていることが好ましい。これによると、第１〜第４の光路を精度よく製作することができる。
【００１０】
また、本発明の光モジュールにおいては、複数の第１〜第４の光路が光導波路及び光導波路に接続された複数の光ファイバで形成されており、複数の光路支持部材が光ファイバの端部を支持していることが好ましい。この場合、光ファイバを介することで光路支持部材を光動波路から分離することができる。これにより、光導波路を加工することなく装着部を他の部材で容易に形成することができる。
【００１１】
また、本発明の光モジュールにおいては、複数の光路支持部材及びファイバ支持部材がフェルールで形成されていることが好ましい。これによると、装着部において第１〜第４の光路と第１〜第４の光ファイバとを精度よく突き合わせて接続することができる。また、光路支持部材及びファイバ支持部材を容易に且つ自在に加工することができる。
【００１２】
また、本発明の光モジュールにおいては、複数のファイバ支持部材及び複数の光路支持部材の複数の装着部の少なくともいずれか一方が位置決めピンを備えているとともに、他方が位置決めピンに対応する位置に位置決めガイドを備えていることが好ましい。これによると、装着部において第１〜第４の光路と第１〜第４の光ファイバとを精度よく突き合わせることができる。
【００１３】
また、本発明の光モジュールは、第１〜第４の光ファイバをそれぞれ１つずつ備えていてもよい。これによると、互いに異なる複数の波長を有する複数の光波から、ＬＡＮやネットワーク機器に割り当てる光波の波長を１つ選択することができる。
【００１４】
また、本発明の光モジュールは、第１〜第４の光ファイバをそれぞれ同数ずつ複数備えていてもよい。これによると、１つの光モジュールに互いに異なる複数の波長を有する光波を使用するＬＡＮやネットワーク機器等を複数接続することができる。
【００１５】
また、本発明の光モジュールは、複数のフィルタのそれぞれに対応する複数の第１の光路を支持する複数の光路支持部材、及び、複数の第４の光路を支持する複数の光路支持部材がそれぞれ形成された１又は複数の上層側光路支持体と、複数のフィルタのそれぞれに対応する複数の第２の光路を支持する複数の光路支持部材、及び、複数の第３の光路を支持する複数の光路支持部材がそれぞれ形成された１又は複数の下層側光路支持体と、第１の光ファイバを支持するファイバ支持部材、及び、第４の光ファイバを支持するファイバ支持部材が形成された上層側ファイバ支持体と、第２の光ファイバを支持するファイバ支持部材、及び、第３の光ファイバを支持するファイバ支持部材が形成された複数の下層側ファイバ支持体とを備えていてもよい。
【００１６】
これによると、上層側ファイバ支持体の上層側光路支持体における接続位置、及び、下層側ファイバ支持体の下層側光路支持体における接続位置を変更するという簡単な方法で、第１の光ファイバから取り出す波長、及び、第４の光ファイバに挿入する波長を変更することができる。
【００１７】
このとき、複数の上層側光路支持体と複数の下層側光路支持体とが、対応する複数のフィルタを挟んで対向するように配置されていることが好ましい。これによると、上位ネットワークと下位ネットワークとの間に、光波の流れに沿って光モジュールを配置することができる。
【００１８】
また、本発明の光モジュールは、カスケード状に接続された前述の複数の光モジュールであって、光波の伝送方向に対して、先の光モジュールの第４の光ファイバと、後の光モジュールの第１の光ファイバとが接続されていてもよい。これによると、１つの光モジュールに複数のネットワーク装置を任意に接続することができる。
【００１９】
本発明の光ネットワークシステムは、互いに異なる波長を有する複数の光波を伝送するリング状のネットワーク光ファイバと、ネットワーク光ファイバに接続されているコントローラとネットワーク光ファイバに接続されているとともに、互いに異なる波長を割り当てられた前述の複数の光モジュールとを備えている。コントローラは、光モジュールからネットワーク光ファイバを介して受信した光波を電気信号に変換し、電気信号に含まれている送信先情報から送信先を特定し、電気信号を送信先の光モジュール毎に割り当てられた波長を有する光波に変換してネットワーク光ファイバへ出力し、光モジュールにおいては、ネットワーク光ファイバがファイバ支持部材に支持されているとともに、割り当てられた波長を有する光波を透過又は反射するフィルタに対応する光路支持部材の装着部にファイバ支持部材が装着されており、ネットワーク光ファイバから第１の光路に入力された複数の光波から当該波長を有する光波を取り出し、当該波長を有する光波を第４の光路からネットワーク光ファイバに出力する。
【００２０】
本発明によると、ファイバ支持部材が他の装着部に装着された簡単な構造で、ネットワーク光ファイバを伝送してきた互いに異なる波長を有する複数の光波から取り出す光波の波長、及び、ネットワーク光ファイバに挿入する光波の波長を変更することができる。これにより、ネットワークの構成が変更された場合でも光モジュールに割り当てられた波長を変更して容易に対応することができる。
【発明を実施するための最良の形態】
【００２１】
［第１の実施の形態］
以下、本発明に係る第１の実施の形態について図面を参照しつつ説明する。
【００２２】
図１は、本発明に係る第１の実施の形態の光ネットワークシステム１のシステム構成の一例を示す図である。図１に示すように、光ネットワークシステム１は、建物７０内に構築されたネットワークである。光ネットワークシステム１は、公衆回線など外部のネットワークに接続されたコントローラ１０と、コントローラ１０に接続されている光ファイバ３と、光ファイバ３に接続されているノードユニット６０ａ〜６０ｃと、ノードユニット６０ａ〜６０ｃに接続されているＬＡＮ５０ａ〜５０ｃとを有している。
【００２３】
建物７０はフロア７１ａ〜７１ｃを有する３階建てのビルである。光ファイバ３は、建物７０内において、リング状に且つ各フロア７１ａ〜７１ｃを通過するように配置されている。フロア７１ａにはノードユニット６０ａ及びこれに接続されたＬＡＮ５０ａが、フロア７１ｂにはノードユニット６０ｂ及びこれに接続されたＬＡＮ５０ｂが、フロア７１ｃにはノードユニット６０ｃ及びこれに接続されたＬＡＮ５０ｃがそれぞれ配置されている。ＬＡＮ５０ａ〜５０ｃにはＰＣ端末５１やＩＰ電話端末５２がそれぞれ接続されている。尚、これらの端末はＬＡＮケーブルで接続されていてもよいし、光ファイバで接続されていてもよいし、無線接続されていてもよい。
【００２４】
次にコントローラ１０の構成について図２を参照しつつ説明する。図２は、コントローラ１０の内部構成を示したブロック図である。図中の矢印は光信号の伝送方向を示している。コントローラ１０は、電気スイッチであるLayer 3 Switch（以下、Ｌ３ＳＷと称す。）１１と、Ｌ３ＳＷ１１のポートＳＰ０に接続された外部用変換器１２と、Ｌ３ＳＷ１１のポートＳＰ１〜ＳＰ８に接続されたマルチプレックスモジュール（以下、ＭＰＸモジュールと称す。）１３とを備えている。
【００２５】
Ｌ３ＳＷ１１は、ＬＡＮ（Local Area Network）などで用いられる公知のスイッチで、ＯＳＩ（Open Systems Interconnection）の７層モデルの第３層レベルのスイッチングを行う装置である。このＬ３ＳＷ１１は、Ｌ３ＳＷ１１の各ポートに入力されるデータをそれに含まれる宛先アドレスに基づいてその宛先アドレスに対応するポートからデータを出力し、サブネットワーク間のスイッチングを行う。尚、宛先アドレスとして広く使用されているＩＰアドレスなどが考えられる。また、サブネットワークとは、ＩＰアドレスをマスクにより区分し、ＩＰアドレスの値によるグルーピングを行う公知の概念であってもよいし、或いは、特定のＩＰアドレスの値を指定した、ＩＰアドレス群であっても良い。Ｌ３ＳＷ１１のスイッチ機能とは、このサブネットワークのＩＰアドレスに対しスイッチングするもので、例えば、Ｖｉｒｔｕａｌ  ＬＡＮを指定し、Ｖｉｒｔｕａｌ  ＬＡＮ間でスイッチングが適用できる。また、Ｌ３ＳＷ１１の代わりに公知のルータによりサブネットワーク間をルーティングする手法もとることができる。また、小規模の場合は第２層のスイッチを使うことも可能である。
【００２６】
外部用変換器１２は、光ネットワークシステム１の外部から入力される、例えば波長１．３（μｍ）の光信号を電気信号に変換して電気信号をＬ３ＳＷ１１のポートＳＰ０へ出力し、また、Ｌ３ＳＷ１１のポートＳＰ０からの電気信号を、例えば波長１．３（μｍ）の光信号に変換して光信号を外部へ出力する。
【００２７】
ＭＰＸモジュール１３は、Ｌ３ＳＷ１１のポートＳＰ１〜ＳＰ８の夫々に接続された変換器２１〜２８と、合波器１４と、分波器１５とを、備えている。変換器２１〜２８は、夫々と接続されるＬ３ＳＷ１１のポートＳＰ１〜ＳＰ８から入力される電気信号を夫々に対応する波長λ１〜λ８の光信号に変換して光信号を合波器１４へ出力し、また、分波器１５からの波長λ１〜λ８の光信号を電気信号に変換して電気信号を夫々と接続されるＬ３ＳＷ１１のポートＳＰ１〜ＳＰ８へ出力する。ここで、波長λ１〜λ８は、互いに異なっており、例えば、１．５（μｍ）帯の波長である。特に、ＣＷＤＭ（Coarse Wavelength-Division Multiplexing）として研究されている波長を選択するのが好適である。例えば、１．４７（μｍ）、１．４９（μｍ）、１．５１（μｍ）、１．５３（μｍ）、１．５５（μｍ）、１．５７（μｍ）、１．５９（μｍ）、１．６１（μｍ）の８波長を使用できる。
【００２８】
合波器１４は、変換器２１〜２８からの波長λ１〜λ８の光信号を合波して光ファイバ３へ出力する。分波器１５は、光ファイバ３からの光信号を波長λ１〜λ８の光信号に分波して、夫々の波長に対応した変換器２１〜２８へ出力する。以上の構成でコントローラ１０は、光ファイバ３における波長分割多重伝送をコントロールしている。
【００２９】
以上説明したコントローラ１０は、ノードユニット６０ａ〜６０ｃから出力されて光ファイバ３内を伝播してきた複数の光波を分波器１５で各波長を有する光波に分波する。分波した各光波を変換器２１〜２８で電気信号に変換してＬ３ＳＷ１１に出力する。または、外部のネットワークから受信した光波を外部用変換器１２で電気信号に変換してＬ３ＳＷ１１に出力する。Ｌ３ＳＷ１１は受信した電気信号に含まれている送信先情報に基づいて、電気信号を送信先に割り当てられた波長を有する光波に変換して光ファイバ３又は外部ネットワークに出力する。送信先のノードユニット６０ａ〜６０ｃは後述するように、光ファイバ３を伝播してくる光波から当該波長を有する光波を取り出す。
【００３０】
次にノードユニット６０ａ〜６０ｃの構成について図３を参照しつつ説明する。ノードユニット６０ａ〜６０ｃの基本的な構成は同一であるので以下ノードユニット６０ａについてのみ説明する。図３は、ノードユニット６０ａの内部構成を示したブロック図である。ノードユニット６０ａは、光ファイバ３内を伝播する光波から予め割り当てられた波長を有する光波の取り出し、及び、この波長を有する光波の光ファイバ中への挿入を行うものである。また、ノードユニット６０ａは、光ファイバ３の途中に挿入されているＯＡＤＭモジュール６１と、これに接続されているＬＡＮ用変換器４１とを備えている。
【００３１】
ＯＡＤＭモジュール６１は、光ファイバ３中を伝送している波長λ１〜λ８を有する光波からなる光信号の中から予め他のＯＡＤＭモジュール６１と重複しないように割り当てられている波長（例えば、λ１）を有する光波からなる光信号のみをドロップするとともに、当該波長を有する光波からなる光信号を光ファイバ３にアッドするものである。後述するようにＯＡＤＭモジュール６１は、互いに異なる２種類の波長である波長λ１、λ２を選択的に割り当てることができる。尚、これら２つの波長はλ１〜λ８の範囲で自在に組み合わせることが可能である。
【００３２】
ここで、ＯＡＤＭモジュール６１の構成について説明する。ＯＡＤＭモジュール６１は、例えば波長λ１を有する光波のみを透過するフィルタ６２ａと、例えば波長λ２を有する光波のみを透過するフィルタ６２ｂとを備えている。フィルタ６２ａ、６２ｂは、基板に複数枚の誘電体膜が重なり合うようにして形成される矩形状を有する誘電体多層膜フィルタである。この誘電体膜を適宜選択することによって各フィルタを透過する特定の波長を調節することができる。尚、フィルタ６２ａ、６２ｂとして、誘電体多層膜フィルタ以外のものを利用するようにしてもよい。
【００３３】
さらに、ＯＡＤＭモジュール６１は、フィルタ６２ａ、６２ｂを支持している光導波路６３を備えている。光導波路６３は、上層側光路支持体６４及び下層側光路支持体６５の間に配置されており、略直方体の基板上に形成されたクラッド層を備えている。クラッド層は、石英などの無機材料、或いは、プラスチックなどの有機材料で作製可能である。クラッド層には、フィルタ６２ａ、６２ｂが接着固定されているとともに、上層側光路支持体６４側の側面からフィルタ６２ａに亘って延在している光路９１ａ、９４ａと、下層側光路支持体６５側の側面からフィルタ６２ａに亘って延在している光路９２ａ、９３ａと、上層側光路支持体６４側の側面からフィルタ６２ｂに亘って延在している光路９１ｂ、９４ｂと、下層側光路支持体６５側の側面からフィルタ６２ｂに亘って延在している光路９２ｂ、９３ｂとが形成されている。これらの光路９１ａ〜９４ａ、９１ｂ〜９４ｂは、クラッド層に屈折率を少し大きくした領域を作成する公知の技術により形成可能である。
【００３４】
さらに、ＯＡＤＭモジュール６１には、光導波路６３の光路９１ａ、９１ｂにそれぞれ接続されている光ファイバ８１ａ、８１ｂ、光路９２ａ、９２ｂにそれぞれ接続されている光ファイバ８２ａ、８２ｂ、光路９３ａ、９３ｂにそれぞれ接続されている光ファイバ８３ａ、８３ｂ及び光路９４ａ、９４ｂにそれぞれ接続されている光ファイバ８４ａ、８４ｂとを備えている。本実施の形態においては、光路９１ａ及び光ファイバ８１ａからなる光路と、光路９１ｂ及び光ファイバ８１ｂからなる光路とが本発明に係る第１の光路、光路９２ａ及び光ファイバ８２ａからなる光路と、光路９２ｂ及び光ファイバ８２ｂからなる光路とが本発明に係る第２の光路、光路９３ａ及び光ファイバと８３ａからなる光路と、光路９３ｂ及び光ファイバ８３ｂからなる光路とが本発明に係る第３の光路、光路９４ａ及び光ファイバ８４ａからなる光路と、光路９４ｂ及び光ファイバ８４ｂからなる光路とが本発明に係る第４の光路である。
【００３５】
さらに、ＯＡＤＭモジュール６１は、光ファイバ８１ａ、８４ａ、８１ｂ、８４ｂの端部を支持している上層側光路支持体６４と、光ファイバ８２ａ、８３ａ、８２ｂ、８３ｂの端部を支持している下層側光路支持体６５とを備えている。尚、上層側光路支持体６４及び下層側光路支持体６５は、それぞれ、本発明に係る４つの光路支持部材が一体として形成されたものである。
【００３６】
上層側光路支持体６４及び下層側光路支持体６５について図４及び図５をさらに参照しつつ説明する。図４は一側面側から見た上層側光路支持体６４及び下層側光路支持体６５の斜視図である。図５は反対面側から見た上層側光路支持体６４及び下層側光路支持体６５の斜視図である。各図において、下層側光路支持体６５の符号を括弧書きで示している。上層側光路支持体６４は、ＰＰＳ（polyphenylene-sulfide）やＬＣＰ（Liquid Crystal Polymer）からなるフェルールで形成されているものであり、図４及び図５に示すように、一端に縁部が形成された略直方体形状を有している。また、上層側光路支持体６４は、縁部側の側面（以下、「背面」と称す）に形成された２つの穴７３ａ、７３ｂと、縁部の反対側の側面（以下、「正面」と称す）に形成された４つの孔７４ａ〜７４ｂと、正面に形成されている穴である３つのピンガイド７５ａ〜７５ｃとを備えている。
【００３７】
穴７３ａ、７３ｂは、光ファイバ８１ａ、８４ａ、８１ｂ、８４ｂを挿入するためのものであり、角筒形状を有するとともに、上層側光路支持体６４の背面の長手方向に沿って配列されている。穴７３ａには光ファイバ８１ａ、８４ａが挿入され、穴７３ｂには光ファイバ８１ｂ、８４ｂが挿入される。
【００３８】
孔７４ａ〜７４ｄは、穴７３ａ、７３ｂから挿入された光ファイバ８１ａ、８４ａ、８１ｂ、８４ｂの端部を支持するものであり、正面から穴７３ａ、７３ｂの底面を貫通している円筒形状を有するとともに、上層側光路支持体６４の正面の長手方向に沿って配列されている。孔７４ａ、７４ｂは穴７３ａの底面を貫通し、孔７４ｃ、７４ｄは穴７３ｂの底面を貫通している。つまり、孔７４ａは光ファイバ８１ａの端部を、孔７４ｂは光ファイバ８４ａの端部を、孔７４ｃは光ファイバ８１ｂの端部を、孔７４ｄは光ファイバ８４ｂの端部をそれぞれ支持する。このとき、光ファイバ８１ａ、８４ａ、８１ｂ、８４ｂの端部が上層側光路支持体６４の正面に配置される。そして、上層側光路支持体６４の正面が光ファイバ８１ａ、８４ａ、８１ｂ、８４ｂの端部を中心に凸となるように表面研磨されている。
【００３９】
ピンガイド７５ａ〜７５ｃは、後述する上層側ファイバ支持体６６が備えるピン７８ａ、７８ｂをガイドするためのものであり（図８及び図９参照）、円筒形状を有するとともに、上層側光路支持体６４の正面の長手方向に沿って孔７４ａ〜７４ｄとともに配列されている。ピンガイド７５ａ、７５ｃは孔７４ａ〜７４ｄの両側に配置され、ピンガイド７５ｃは、孔７４ｂと孔７４ｃとの間に配置されている。言い換えれば、孔７４ａ、７４ｂの両側にピンガイド７５ａ、７５ｂが配置され、孔７４ｃ、７４ｄの両側にピンガイド７５ｂ、７５ｃが配置されている。このピンガイド７５ａ、７５ｂにより装着部９６ａが、ピンガイド７５ｂ、７５ｃにより装着部９６ｂがそれぞれ形成されている。装着部９６ａ、９６ｂは上層側ファイバ支持体６６を着脱可能にするものである。このように、装着部９６ａ、９６ｂがピンガイド７５ｂを共用することで上層側光路支持体６４の正面長手方向の距離が短くなり、ＯＡＤＭモジュール６１の小型化を図ることができる。
【００４０】
下層側光路支持体６５は、上層側光路支持体６４と全く同一の形状を有している。そして、孔７４ａは光ファイバ８２ｂの端部を、孔７４ｂは光ファイバ８３ｂの端部を、孔７４ｃは光ファイバ８２ａの端部を、孔７４ｄは光ファイバ８３ａの端部をそれぞれ支持する。このとき、光ファイバ８２ａ、８３ａ、８２ｂ、８３ｂの端部が下層側光路支持体６５の正面に配置される。そして、また、下層側光路支持体６５の正面が光ファイバ８２ａ、８３ａ、８２ｂ、８３ｂの端部を中心に凸となるように表面研磨されている。また、ピンガイド７５ａ、７５ｂにより装着部９７ｂが、ピンガイド７５ｂ、７５ｃにより装着部９７ａがそれぞれ形成されている。装着部９７ａ、９７ｂは後述の下層側ファイバ支持体６７を着脱可能にするものである。
【００４１】
また、ＯＡＤＭモジュール６１は、光ファイバ３の端部を支持しているとともに上層側光路支持体６４の後述する装着部９６ａ、９６ｂに着脱可能な上層側ファイバ支持体６６と、ＬＡＮ用変換器４１に接続されている第２の光ファイバ８７、第３の光ファイバ８６の端部を支持しているとともに、下層側光路支持体６５の後述する装着部９７ａ、９７ｂに着脱可能な下層側ファイバ支持体６７とを備えている。尚、光ファイバ３のうち上層側ファイバ支持体６６により支持され、光ファイバ８１ａ又は８１ｂに接続される部分が本発明に係る第１の光ファイバであり、光ファイバ８４ａ又は８４ｂに接続される部分が本発明に係る第４の光ファイバである。また、上層側ファイバ支持体６６及び下層側ファイバ支持体６７はそれぞれ本発明に係る２つのファイバ支持部材が一体として形成されたものである。
【００４２】
上層側ファイバ支持体６６及び下層側ファイバ支持体６７について図６及び図７をさらに参照しつつ説明する。図６は一側面側から見た上層側ファイバ支持体６６及び下層側ファイバ支持体６７の斜視図である。図７は反対面側から見た上層側ファイバ支持体６６及び下層側ファイバ支持体６７の斜視図である。各図において、下層側ファイバ支持体６７の符号を括弧書きで示している。上層側ファイバ支持体６６は、フェルールで形成されているものであり、図６及び図７に示すように、一端に縁部が形成された略直方体形状を有している。また、上層側ファイバ支持体６６は、縁部側の側面（以下、「背面」と称す）に形成された穴７６と、縁部の反対側の側面（以下、「正面」と称す）に形成された２つの孔７７ａ、７７ｂと、正面に植設されている２つのピン７８ａ、７８ｂとを備えている。
【００４３】
穴７６は、リングの一部を切断して形成される２つの光ファイバ３（第１の光ファイバ、第４の光ファイバ）を挿入するためのものであり、角筒形状を有している。
【００４４】
孔７７ａ、７７ｂは、穴７６から挿入された２つの光ファイバ３の端部を支持するものであり、正面から穴７６の底面を貫通する円筒形状を有するとともに、上層側ファイバ支持体６６の正面の長手方向に沿って配列されている。孔７７ａ、７７ｂが２つの光ファイバ３の端部を支持するとき、光ファイバ３の２つの端部が上層側ファイバ支持体６６の正面に配置される。また、上層側ファイバ支持体６６の正面が光ファイバ３の端部を中心に凸となるように表面研磨されている。
【００４５】
上層側ファイバ支持体６６は上層側光路支持体６４の装着部９６ａ、９６ｂのいずれかに選択的に装着可能となっている。そして、ピン７８ａ、７８ｂは、上層側ファイバ支持体６６が上層側光路支持体６４の装着部９６ａに装着されるとき、上層側光路支持体６４が備えるピンガイド７５ａ、７５ｂにガイドされ、また、上層側ファイバ支持体６６が上層側光路支持体６４の装着部９６ｂに装着されるとき、上層側光路支持体６４が備えるピンガイド７５ｂ、７５ｃにガイドされる。また、ピン７８ａ、７８ｂは、孔７７ａ、７７ｂとともに上層側ファイバ支持体６６の正面の長手方向に沿って配列されている。ピン７８ａ、７８ｃは孔７７ａ、７７ｂの両側に配置されている。
【００４６】
下層側ファイバ支持体６７は、上層側ファイバ支持体６６と全く同一の形状を有している。そして、孔７７ａは光ファイバ８６の端部を、孔７７ｂは光ファイバ８７の端部をそれぞれ支持する。このとき、光ファイバ８６、８７の端部が下層側ファイバ支持体６７の正面に配置される。また、下層側ファイバ支持体６７の正面が光ファイバ８６、８７の端部を中心に凸となるように表面研磨されている。
【００４７】
図３に戻って、ＬＡＮ用変換器４１は、光／電気変換器と電気／光変換器とを有する変換器である。ＯＡＤＭモジュール６１から第２の光ファイバ８７を介して出力される光信号を電気信号に変換してＬＡＮ５０ａに出力する。また第２の光ファイバ８７を介してＬＡＮ５０ａから入力された電気信号をＯＡＤＭモジュール６１に割り当てられた波長を有する光波からなる光信号に変換してＯＡＤＭモジュール６１に出力する。
【００４８】
以上のように構成されるノードユニット６０ａ〜６０ｃは、光ファイバ３上の任意の位置に接続可能であるとともに、コントローラ１０のＭＰＸモジュール１３が有するポート数を限度に増設可能である。
【００４９】
次に、上層側光路支持体６４及び下層側光路支持体６５と、上層側ファイバ支持体６６及び下層側ファイバ支持体６７との接続方法について図８及び図９を参照しつつ説明する。図８は、上層側光路支持体６４及び下層側光路支持体６５と、上層側ファイバ支持体６６及び下層側ファイバ支持体６７との接続前の状態を示した斜視図である。図９は、上層側光路支持体６４及び下層側光路支持体６５と、上層側ファイバ支持体６６及び下層側ファイバ支持体６７との接続後の状態を示した斜視図である。各図において、下層側光路支持体６５及び下層側ファイバ支持体６７の符号を括弧書きで示している。尚、上層側光路支持体６４と上層側ファイバ支持体６６との接続方法が、下層側光路支持体６５と下層側ファイバ支持体６７との接続方法と同一であるため、上層側光路支持体６４と上層側ファイバ支持体６６との接続方法についてのみ説明する。
【００５０】
上層側ファイバ支持体６６は上層側光路支持体６４の装着部９６ａ、９６ｂのいずれかに、下層側ファイバ支持体６７は下層側光路支持体６５の装着部９７ａ、９７ｂのいずれかに選択的に装着可能となっている。そして、上層側ファイバ支持体６６が装着部９６ａに装着されるときは、下層側ファイバ支持体６７は装着部９７ａに装着される。また、上層側ファイバ支持体６６が装着部９６ｂに装着されるときは、下層側ファイバ支持体６７は装着部９７ｂに装着される（図３参照）。
【００５１】
例えば、上層側ファイバ支持体６６を上層側光路支持体６４の装着部９６ａに装着するときには、図８に示すように、上層側ファイバ支持体６６のピン７８ｂが上層側光路支持体６４のピンガイド７５ａと対向するように且つピン７８ａがピンガイド７５ｂと対向するように、上層側ファイバ支持体６６の正面と上層側光路支持体６４の正面とを対向させる。この状態で上層側ファイバ支持体６６を上層側光路支持体６４に向かって押し込んでいく。これに伴ってピン７８ｂがピンガイド７５ａに挿入され、ピン７８ａがピンガイド７５ｂに挿入される。ピンガイド７５ａ、７５ｂは挿入されたピン７８ａ、７８ｂをガイドして上層側ファイバ支持体６６を精度位置決めする。そして、図９に示すように、上層側ファイバ支持体６６の正面と上層側光路支持体６４の正面とを密接させることにより、上層側ファイバ支持体６６が装着部９６ａに装着される。
【００５２】
このように、上層側ファイバ支持体６６が装着部９６ａに装着されると、光ファイバ３の端部が配置されている端面と装着部９７ａの端面とが接触して、光波が伝播してくる光ファイバ３の端部と光ファイバ８１ａの端部とが接続されるとともに、光波が伝播していく光ファイバ３の端部と光ファイバ８４ａの端部とが接続される。下層側ファイバ支持体６７が装着部９７ａに装着されると、光ファイバ８６、８７の端部が配置されている端面と装着部９７ａの端面とが接触して、第３の光ファイバ８６の端部と光ファイバ８３ａの端部とが接続されるとともに、第２の光ファイバ８７の端部と光ファイバ８２ａの端部とが接続される。
【００５３】
同様に、ピン７８ｂをピンガイド７５ｂに、ピン７８ａをピンガイド７５ｃに挿入して、上層側ファイバ支持体６６の正面と上層側光路支持体６４の正面とを密接させることにより、上層側ファイバ支持体６６が装着部９６ｂに装着される。これにより、光ファイバ３の端部が配置されている端面と装着部９７ｂの端面とが接触して、光波が伝播してくる光ファイバ３の端部と光ファイバ８１ｂの端部とが接続されるとともに、光波が伝播していく光ファイバ３の端部と光ファイバ８４ｂの端部とが接続される。下層側ファイバ支持体６７が装着部９７ｂに装着されると、光ファイバ８６、８７の端部が配置されている端面と装着部９７ｂの端面とが接触して、光ファイバ８６の端部と光ファイバ８３ｂの端部とが接続されるとともに、光ファイバ８７の端部と光ファイバ８２ｂの端部とが接続される。
【００５４】
次に、ＯＡＤＭモジュール６１の作用について図３及び図１０を参照しつつ説明する。図１０は、ＯＡＤＭモジュール６１の光導波路６３の拡大図である。上層側ファイバ支持体６６が装着部９６ａに装着されるとともに、下層側ファイバ支持体６７が装着部９７ａに装着されたときは、図１０に示すように、光ファイバ３内を伝送してきた波長λ１〜λ８を有する８つの光波は光ファイバ３（第１の光ファイバ相当する部分）に接続された光ファイバ８１ａを介して光路９１ａに出力される。光路９１ａに出力された波長λ１〜λ８を有する８つの光波は光路９１ａ内を伝播してフィルタ６２ａに導かれる。フィルタ６２ａに導かれた波長λ１〜λ８を有する８つの光波のうち、波長λ１を有する光波はフィルタ６２ａを透過して光路９２ａに出力される。光路９２ａに出力された波長λ１を有する光波は光路９２ａ内を伝播して光ファイバ８２ａに出力される。光ファイバ８２ａに出力された波長λ１を有する光波はファイバ８２ａに接続された光ファイバ６２を介してＬＡＮ用変換器４１に出力される。ＬＡＮ用変換器４１に出力された波長λ１を有する光波は電気信号に変換されてＬＡＮ５０ａに属する端末に送信される。
【００５５】
フィルタ６２ａに導かれた波長λ２〜λ８を有する７つの光波はフィルタ６２ａに反射されて光路９４ａに出力される。光路９４ａに出力された波長λ２〜λ８を有する７つの光波は光路９４ａを伝播して光ファイバ８４ａに出力される。光ファイバ８４ａに出力された波長λ２〜λ８を有する７つの光波は、光ファイバ８４ａに接続された光ファイバ３に出力され、光ファイバ３内をさらに伝播していく。
【００５６】
また、ＬＡＮ５０ａに属する端末から送信された電気信号はＬＡＮ用変換器４１に送信される。ＬＡＮ用変換器４１に送信された電気信号は波長λ１の光波に変換されて光ファイバ８６に出力される。光ファイバ８６に出力された波長λ１の光波は光ファイバ８６に接続された光ファイバ８３ａを介して光路９３ａに出力される。光路９３ａに出力された波長λ１の光波は光路９３ａを伝播してフィルタ６２ａに導かれる。フィルタ６２ａに導かれた波長λ１の光波はフィルタ６２ａを透過して光路９４ａに出力される。光路９４ａに出力された波長λ１を有する光波は光路９４ａを伝播して光ファイバ８４ａに出力される。光ファイバ８４ａに出力された波長λ１を有する光波は、フィルタ６２ａに反射された波長λ２〜λ８を有する７つの光波に挿入される。波長λ１〜λ８を有する８つの光波は光ファイバ８４ａに接続された光ファイバ３に入力され、光ファイバ３内をさらに伝播していく。
【００５７】
このように、上層側ファイバ支持体６６が装着部９６ａに装着されるとともに、下層側ファイバ支持体６７は装着部９７ａに装着されたときのＯＡＤＭモジュール６１は、フィルタ６２ａにより、光ファイバ３内から波長λ１を有する光波のみをドロップしてＬＡＮ５０ａに送信するとともに、ＬＡＮ５０ａから送信される波長λ１を光ファイバ３内にアッドすることができる。
【００５８】
また、上層側ファイバ支持体６６が装着部９６ｂに装着されるとともに、下層側ファイバ支持体６７は装着部９７ｂに装着されたときのＯＡＤＭモジュール６１は、上述した過程と実質的に同一の過程を経て、フィルタ６２ｂにより、光ファイバ３内から波長λ２を有する光波のみをドロップしてＬＡＮ５０ａに送信するとともに、ＬＡＮ５０ａから送信される波長λ２を光ファイバ３内にアッドすることができる。
【００５９】
以上説明した第１の実施の形態によると、ＯＡＤＭモジュール６１において、上層側ファイバ支持体６６及び下層側ファイバ支持体６７の装着位置（装着部９６ａ、９６ｂ、９７ａ、９７ｂ）を変更するという簡単な方法で、光ファイバ３を伝送してきた互いに異なる波長を有する複数の光波から取り出す光波の波長、及び、光ファイバ３に挿入する光波の波長を変更することができる。これにより、例えば、建物７０内においてＬＡＮ５０ａ〜５０ｃをフロア間で入れ替えする等、光ネットワークシステム１の構成に変更がある場合でも容易に対応することができる。
【００６０】
また、ＯＡＤＭモジュール６１が光導波路６３を備えているため、フィルタ６２ａ、６２ｂ周辺の光路を精度良く製作することができる。さらに、光ファイバ８１ａ〜８４ａ、８１ｂ〜８４ｂを介することで光導波路６３と各光路支持体６４、６５とを分離することができる。これにより光導波路６３を加工することなく装着部９６ａ、９６ｂ、９７ａ、９７ｂを容易に形成することができる。
【００６１】
加えて、各光路支持体６４、６５及び各ファイバ支持体６６、６７がフェルールで形成されているため、光ファイバ８１ａ〜８４ａ、８１ｂ〜８４ｂと光ファイバ３、８６、８７とを精度よく突き合わせて接合することができる。また、各光路支持体６４、６５及び各ファイバ支持体６６、６７を容易に且つ自在に加工することができる。
【００６２】
また、各ファイバ支持体６６、６７にピン７８ａ、７８ｂが形成されており、各光路支持体６４、６５にこれを案内するピンガイド７５ａ〜７５ｃが形成されているため、光ファイバ８１ａ〜８４ａ、８１ｂ〜８４ｂと光ファイバ３、８６、８７とをより精度良く突き合わせて接合することができる。
【００６３】
さらに、上層側光路支持体６４と、下層側光路支持体６５とがフィルタ６２ａ、６２ｂを挟んで対向するように配置されているため、光ファイバ３と光ファイバ８６、８７とを光波の流れに沿って効率良く配置することができる。
【００６４】
以上説明した第１の実施の形態においては、ＯＡＤＭモジュール６１が光導波路６３、及び各光路支持体６４、６５を１つずつ備えることにより、ノードユニット６０ａ〜６０ｃに対して２つの波長から選択的に１つの波長を割り当てることができる構成であるが、このような構成に限定されるものではなく、ノードユニットに対して多数の波長から選択的に１つの波長を割り当てることができる構成でもよい。例えば、図１１に示すように、ＯＡＤＭモジュール６１'が光導波路６３、及び各光路支持体６４、６５を２つずつ備えていてもよい。この場合、４つのフィルタは互いに異なる波長を透過するものを適宜選択して配置すればよい。これによると、４つの波長から選択的に１つの波長をノードユニット割り当てることができる。このため、光ネットワークシステム１の構成に変更がある場合に、より柔軟に且つ容易に対応することができる。
【００６５】
［第２の実施の形態］
次に本発明に係る第２の実施の形態について図１２を参照しつつ説明する。尚、第２の実施の形態においては、第１の実施の形態におけるノードユニット６０ａに相当するノードユニットの構成のみが異なっている。従って、第１の実施の形態と実質的に同じ他の部材については、第１の実施の形態と同じ符号を付してその説明を省略する。図１２は第２の実施の形態のノードユニット６０ａＡの内部構成を示したブロック図である。図１２に示すように、ノードユニット６０ａＡは、光ファイバ３内を伝播する光波から予め割り当てられた互いに異なる波長を有する３つの光波を取り出し及び挿入するものである。また、ノードユニット６０ａＡは、光ファイバ３の途中に挿入されているＯＡＤＭモジュール６１Ａと、これに接続されている３つのＬＡＮ用変換器４１とを備えている。
【００６６】
ＯＡＤＭモジュール６１ＡとＬＡＮ用変換器４１との構成は、第１の実施の形態と実質的に同様であるため、その説明を省略する。１つの上層側ファイバ支持体６６は孔７７ｂで光ファイバ３の端部を支持しているとともに、孔７７ａで光ファイバ３ａの端部を支持している（図７参照）。もう１つの上層側ファイバ支持体６６は孔７７ｂで光ファイバ３ａの反対側の端部を支持しているとともに、孔７７ａで光ファイバ３ｂの端部を支持している。最後の１つの上層側ファイバ支持体６６は孔７７ｂで光ファイバ３ｂの反対側の端部を支持しているとともに、孔７７ａで光ファイバ３の端部を支持している。つまり、３つの上層側ファイバ支持体６６が光ファイバ３、３ａ、３ｂによりカスケード接続されている。
【００６７】
以上説明した第２の実施の形態によると、１つのノードユニット６０ａＡに３つのＬＡＮ５０ａ、５０ｄ、５０ｅや他のネットワーク装置を任意に接続することができる。尚、ＬＡＮやネットワーク装置を接続しない場合には、接続しない上層側ファイバ支持体６６をカスケード接続から外せばよい。これにより、光ネットワークシステム１の構成に変更がある場合でもより柔軟に対応することができる。
【００６８】
以下、上述した２つの実施の形態の変形例について簡単に説明する。第１の実施の形態においては、特定の波長を有する光波を透過するフィルタ６２ａ、６２ｂを使用する構成であるが、周辺光路を変更して反射するフィルタを使用する構成にしてもよい。
【００６９】
また、第１の実施の形態においては、第１〜第４の光路の一部を光導波路６３の光路９１ａ〜９４ａ、９１ｂ〜９４ｂにより形成する構成であるが、このような構成に限定されるものではなく、例えば、全ての光路を光ファイバのみで構成してもよい。
【００７０】
また、第１の実施の形態においては、４本の光ファイバ８１ａ、８４ａ、８１ｂ、８４ｂ及び４本の光ファイバ８２ａ、８３ａ、８２ｂ、８３ｂがそれぞれ１つの光路支持体により支持されているが、このような構成に限定されるものではなく、例えば、１本の光ファイバが１つの光路支持体により支持されていてもよい。また、これらの光ファイバの何本かが１つの光路支持体により支持されていてもよい。例えば、複数本の光ファイバが１つの光路支持体により支持されている場合、各光路支持体は比較的大型であるため、光路支持体が破損したときの光路支持体の交換には多大なコストを要する。これに対して、１本の光ファイバが１つの光路支持体により支持されている場合、各光路支持体は小型であるため、光路支持体が破損したときの光路支持体の交換にかかるコストを削減することができる。
【００７１】
また、第１の実施の形態においては、光ファイバ３のうちの２箇所、及び、２本の光ファイバ８６、８７がそれぞれ１つのファイバ支持体によって支持されているが、このような構成に限られるものではなく、例えば、１本の光ファイバが１つのファイバ支持体によって支持されていてもよい。また、これらの光ファイバの何本かが１つのファイバ支持体によって支持されていてもよい。例えば、複数本の光ファイバが１つのファイバ支持体により支持されている場合、各ファイバ支持体は比較的大型であるため、ファイバ支持体が破損したときのファイバ支持体の交換には多大なコストを要する。これに対して、１本の光ファイバが１つのファイバ支持体により支持されている場合、各ファイバ支持体は小型であるため、ファイバ支持体が破損したときのファイバ支持体の交換にかかるコストを削減することができる。
【００７２】
さらに、第１の実施の形態においては、光導波路６３と各光路支持体６４、６５とを分離する構成であるが、このような構成に限定されるものではなく、光導波路６３に直接ファイバ支持体を形成してもよい。
【００７３】
加えて、第１の実施の形態においては、各光路支持体６４、６５、各ファイバ支持体６６、６７がフェルールで形成されているが耐久性やコストに優れる他の材料で形成されていてもよい。
【００７４】
また、第１の実施の形態においては、各光路支持体６４、６５がピンガイド７５ａ〜７５ｃを備え、各ファイバ支持体６６、６７がピン７８ａ、７８ｂを備える構成であるが、このような構成に限定されるものではなく、例えば、各光路支持体がピンを備え、ファイバ支持体がピンガイドを備える構成でもよいし、ピンやピンガイドを一切備えない構成でもよい。
【００７５】
さらに、第１の実施の形態においては、各光路支持体が上層側と下層側とで分離し、フィルタ６２ａ、６２ｂを挟んで対向するように配置される構成であるが、これらの配置はなんら限定されるものではない。例えば、各光路支持体を隣接するように配置してもよいし、上層側と下層側とで分離せず一体として形成してもよい。
【００７６】
加えて、第１の実施の形態においては、各ファイバ支持体の装着位置を手動で変更する構成であるが、各ファイバ支持体をアクチュエータで移動させて装着位置を変更する構成でもよい。このアクチュエータとしてはピエゾ素子などが適用可能である。また、各ファイバ支持体の装着位置をアクチュエータで変更する場合には、これらの制御をコントローラで一括して行うことが好ましい。これによると、各ノードユニットに割り当てられる波長を自在に且つ自動で変更することができる。
【図面の簡単な説明】
【００７７】
【図１】本発明に係る第１の実施の形態の光ネットワークシステムのシステム構成の一例を示す図である。
【図２】図１に示しているコントローラの内部構成を示したブロック図である。
【図３】図３は、図１に示しているノードユニットの内部構成を示したブロック図である。
【図４】図３に示している一側面側から見た上層側光路支持体及び下層側光路支持体を一側面側から見た斜視図である。
【図５】図３に示している上層側光路支持体及び下層側光路支持体を反対面側から見た斜視図である。
【図６】図３に示している上層側ファイバ支持体及び下層側ファイバ支持体を一側面側から見た斜視図である。
【図７】図３に示している上層側ファイバ支持体及び下層側ファイバ支持体を反対面側から見た斜視図である。
【図８】図３に示している上層側光路支持体及び下層側光路支持体と、上層側ファイバ支持体及び下層側ファイバ支持体との接続前の状態を示した斜視図である。
【図９】図３に示している上層側光路支持体及び下層側光路支持体と、上層側ファイバ支持体及び下層側ファイバ支持体との接続後の状態を示した斜視図である。
【図１０】図３に示しているＯＡＤＭモジュールの光導波路の拡大図である。
【図１１】図１に示しているノードユニットの変形例を示した内部構成を示すブロック図である。
【図１２】第２の実施の形態のノードユニットの内部構成を示したブロック図である。
【符号の説明】
【００７８】
１  光ネットワークシステム
３  光ファイバ
４１  ＬＡＮ用変換器
６２ａ、６２ｂ  フィルタ
６３  光導波路
６４  上層側光路支持体
６５  下層側光路支持体
６６  上層側ファイバ支持体
６７  下層側ファイバ支持体
８１ａ〜８４ａ  光ファイバ
８１ｂ〜８４ｂ  光ファイバ
９１ａ〜９４ａ  光路
９１ｂ〜９４ｂ光路
９３ａ、９３ｂ  第３光路
【図１】
2005316402.tif 000003
【図２】
2005316402.tif 000004
【図３】
2005316402.tif 000005
【図４】
2005316402.tif 000006
【図５】
2005316402.tif 000007
【図６】
2005316402.tif 000008
【図７】
2005316402.tif 000009
【図８】
2005316402.tif 000010
【図９】
2005316402.tif 000011
【図１０】
2005316402.tif 000012
【図１１】
2005316402.tif 000013
【図１２】
2005316402.tif 000014